(57)【要約】【課題】本発明は使い捨てマスクの保管装置を開示した。【解決手段】マスクとマスク筐体を含み、前記マスク筐体の中には一方向機構が設けられ、前記一方向機構の内部がベルトによって摩擦して伝動を行い、前記一方向機構が駆動軸と、駆動歯車と、ラチェットと伝動軸とを含み、前記駆動軸と前記伝動軸が前記ラチェットによって回転できるように接続され、更に前記ラチェットの作用によって、前記伝動軸が一方向しか回転できなく、前記一方向機構の右側には切換機構が設けられ、本装置は構造が簡単で、携帯が便利で、複数のマスクを保管でき、また、マスクを保管する時、使用者はマスクの使用状態によりマスクを保管するか又は取り換えるかを選択でき、室外環境の使用に適用する。【選択図】図１
2020146416.tif 000002
【特許請求の範囲】
【請求項１】
マスクとマスク筐体を含み、前記マスク筐体の中には一方向機構が設けられ、前記一方向機構の内部がベルトによって摩擦して伝動を行い、前記一方向機構が駆動軸と、駆動歯車と、ラチェットと伝動軸とを含み、前記駆動軸と前記伝動軸が前記ラチェットによって回転できるように接続され、更に前記ラチェットの作用によって、前記伝動軸が一方向しか回転できなく、前記一方向機構の右側には切換機構が設けられ、前記切換機構の内部も前記ベルトによって摩擦して伝動を行い、前記切換機構がラックと、スイングロッドと、昇降ブロックと、ロープと、空チャンバと、旋転歯車と旋転ロッドとを含み、前記ラックが左へ運動する時に前記駆動歯車と噛み合え、更に前記一方向機構を作動連動させ、前記スイングロッドが回転して前記ロープを緩め、更に前記昇降ブロックを前記旋転歯車と噛み合うところまで上昇連動させ、更に前記旋転ロッドを回転連動させ、前記空チャンバの中には梯形ロッドと、横向き歯車とＬ字型ロッドとが設けられ、前記ラックが左へ運動すると前記梯形ロッドを押して上昇させて前記横向き歯車と噛み合わせることができ、これにより前記Ｌ字型ロッドを回転連動させ、前記切換機構の上側には保管機構が設けられ、前記保管機構がショートロッドと、保管軸と、ねじ山ロッドとねじ山ブロックとを含み、前記Ｌ字型と前記旋転ロッドの回転はいずれも前記ショーロロッドを押し動かして回転させることができ、前記ねじ山ロッドには二つのねじ山が逆方向に設置され、前記ねじ山ロッドが回転する時に前記ねじ山ブロックを連動させて互いに近づかせる又は遠離させることができ、前記保管軸の中には制限溝と、梯形ブロックと、角溝とが設けられ、前記梯形ブロックと前記角溝の制限によって、前記保管軸が一方向しか回転できなく、前記スイングロッドと前記制限溝の妨げによって前記保管軸を押し動かして回転させることができることを特徴とする使い捨てマスクの保管装置。
【請求項２】
前記一方向機構は駆動軸を含み、前記空軸の左端壁には梯形溝が設けられ、前記梯形溝の下端壁には鉛直溝が設けられ、前記鉛直溝の下端壁には駆動歯車と固定される前記駆動軸が回転できるように設けられ、前記駆動歯車の上側には伝動軸が設けられ、前記伝動軸と前記駆動軸とが前記ラチェットによって回転できるように接続され、前記伝動軸の上端には駆動傘歯車が固定され、前記梯形溝の後端壁には取手と従動軸とが回転できるように設けられ、前記従動軸には従動傘歯車と駆動プーリとが固定され、前記従動傘歯車と前記駆動傘歯車とが噛み合い、前記空チャンバの後端壁にはベルト軸が回転できるように設けられ、前記ベルト軸には前記ベルトによって前記駆動プーリと摩擦して動力を伝達する伝動プーリが固定され、前記ベルトには六つの置きブロックが均一的に固定的に接続され、前記空チャンバの右端壁には保管口が設けられ、前記保管口の後端壁には保管板が回転できるように設けられ、前記マスク筐体の左端面には引掛けブロックが固定され、前記マスク筐体の右端面には弾性ブロックが固定され、前記空チャンバの下端壁には収集溝が設けられ、前記収集溝の後端壁には底板がトーションバネによって回転できるように設けられ、なお、前記駆動傘歯車と前記従動傘歯車との噛合によって前記駆動プーリを回転連動させることができることを特徴とする請求項１に記載の使い捨てマスクの保管装置。
【請求項３】
前記切換機構はロングロッドを含み、前記空チャンバの後端壁には移動溝が設けられ、前記移動溝の中にはロングロッドがスライドできるように設けられ、前記ロングロッドの左端面には左端が前記移動溝の左端壁と固定的に接続される移動ばねが上下に対称的に固定され、前記ロングロッドの上端面には支持ブロックが固定され、前記支持ブロックの前端面には前記トーションバネによって前記スイングロッドが回転できるように接続され、前記ロングロッドの上端面には昇降溝が設けられ、前記昇降溝の下端壁には昇降ばねが固定され、前記昇降ばねの上端には前記ロープと前記スイングロッドとによって固定される昇降ブロックが固定され、前記ロングロッドの左端にはラックが固定され、前記空チャンバの後端壁には入力軸と出力軸とが回転できるように設けられ、前記入力軸には旋転歯車と入力車が固定され、前記出力軸には旋転ロッドと、前記ベルトによって前記入力車と摩擦して伝動する出力車とが固定され、前記空チャンバの後端壁には弾性溝が設けられ、前記弾性溝の中には梯形ロッドがスライドできるように設けられ、前記弾性溝の中において前記梯形ロッドの下端面には下端が前記弾性溝の下端壁と固定される弾性ばねが左右に対称的に固定され、前記空チャンバの左端壁には前記Ｌ字型ロッドが回転できるように設けられ、前記Ｌ字型ロッドには横向き歯車が固定され、なお、前記ロングロッドが左へ運動すると前記梯形ロッドを押し動かして上昇させて前記横向き歯車と噛み合わせることができることを特徴とする請求項１に記載の使い捨てマスクの保管装置。
【請求項４】
前記保管機構は前記角溝を含み、前記空チャンバの後端壁には円状溝が設けられ、前記円状溝を中心として四つの前記角溝が陳列で設けられ、前記円状溝の後端壁には前記保管軸が回転できるように設けられ、前記保管軸の左端面には圧力溝が設けられ、前記圧力溝の右端壁には圧力ばねが固定され、前記圧力ばねの左端には左端が左側の前記角溝の中に位置する前記梯形ブロックが固定され、前記保管軸の外端面には四つの前記制限溝が環状の陳列で設けられ、前記保管軸にはブロックが固定され、前記ブロックの外端面には四つの運動溝が環状の陳列で設けられ、上側の前記運動溝の左端面には前記ねじ山ロッドが回転できるように設けられ、前記ねじ山ロッドには前記運動溝とスライドできるように接続される二つのねじ山ブロックがねじ山によって噛み合い、前記ねじ山ロッドの前端面には前記ショートロッドが固定され、なお、前記スイングロッドが左へ運動すると前記保管軸を押し動かして回転させることができることを特徴とする請求項３に記載の使い捨てマスクの保管装置。
【発明の詳細な説明】
【技術分野】
【０００１】
本発明は防護用品分野に関し、具体的には使い捨てマスクの保管装置である。
【背景技術】
【０００２】
使い捨てマスクとは短時間の防塵に使われるＰＭ２．５対応の用品であり、風邪伝染の防止にも使われており、しかし、現在の使い捨てマスクは使用後に携帯や保管がめんどくさく、よごれやすいのである。
【先行技術文献】
【特許文献】
【０００３】
【特許文献１】中国特許出願公開第１０４４３２７０７号明細書
【発明の概要】
【発明が解決しようとする課題】
【０００４】
本発明の目的は使い捨てマスクの保管装置を提供し、それは上記の現在の技術中の問題を解決できる。
【課題を解決するための手段】
【０００５】
本発明は以下の技術プランを通じて実現する：本発明の使い捨てマスクの保管装置は、マスクとマスク筐体を含み、前記マスク筐体の中には一方向機構が設けられ、前記一方向機構の内部がベルトによって摩擦して伝動を行い、前記一方向機構が駆動軸と、駆動歯車と、ラチェットと伝動軸とを含み、前記駆動軸と前記伝動軸が前記ラチェットによって回転できるように接続され、更に前記ラチェットの作用によって、前記伝動軸が一方向しか回転できなく、前記一方向機構の右側には切換機構が設けられ、前記切換機構の内部も前記ベルトによって摩擦して伝動を行い、前記切換機構がラックと、スイングロッドと、昇降ブロックと、ロープと、空チャンバと、旋転歯車と旋転ロッドとを含み、前記ラックが左へ運動する時に前記駆動歯車と噛み合え、更に前記一方向機構を作動連動させ、前記スイングロッドが回転して前記ロープを緩め、更に前記昇降ブロックを前記旋転歯車と噛み合うところまで上昇連動させ、更に前記旋転ロッドを回転連動させ、前記空チャンバの中には梯形ロッドと、横向き歯車とＬ字型ロッドとが設けられ、前記ラックが左へ運動すると前記梯形ロッドを押して上昇させて前記横向き歯車と噛み合わせることができ、これにより前記Ｌ字型ロッドを回転連動させ、前記切換機構の上側には保管機構が設けられ、前記保管機構がショートロッドと、保管軸と、ねじ山ロッドとねじ山ブロックとを含み、前記Ｌ字型と前記旋転ロッドの回転はいずれも前記ショーロロッドを押し動かして回転させることができ、前記ねじ山ロッドには二つのねじ山が逆方向に設置され、前記ねじ山ロッドが回転する時に前記ねじ山ブロックを連動させて互いに近づかせる又は遠離させることができ、前記保管軸の中には制限溝と、梯形ブロックと、角溝とが設けられ、前記梯形ブロックと前記角溝の制限によって、前記保管軸が一方向しか回転できなく、前記スイングロッドと前記制限溝の妨げによって前記保管軸を押し動かして回転させることができる。
【０００６】
優選的には、前記一方向機構は駆動軸を含み、前記空軸の左端壁には梯形溝が設けられ、前記梯形溝の下端壁には鉛直溝が設けられ、前記鉛直溝の下端壁には駆動歯車と固定される前記駆動軸が回転できるように設けられ、前記駆動歯車の上側には伝動軸が設けられ、前記伝動軸と前記駆動軸とが前記ラチェットによって回転できるように接続され、前記伝動軸の上端には駆動傘歯車が固定され、前記梯形溝の後端壁には取手と従動軸とが回転できるように設けられ、前記従動軸には従動傘歯車と駆動プーリとが固定され、前記従動傘歯車と前記駆動傘歯車とが噛み合い、前記空チャンバの後端壁にはベルト軸が回転できるように設けられ、前記ベルト軸には前記ベルトによって前記駆動プーリと摩擦して動力を伝達する伝動プーリが固定され、前記ベルトには六つの置きブロックが均一的に固定的に接続され、前記空チャンバの右端壁には保管口が設けられ、前記保管口の後端壁には保管板が回転できるように設けられ、前記マスク筐体の左端面には引掛けブロックが固定され、前記マスク筐体の右端面には弾性ブロックが固定され、前記空チャンバの下端壁には収集溝が設けられ、前記収集溝の後端壁には底板がトーションバネによって回転できるように設けられ、なお、前記駆動傘歯車と前記従動傘歯車との噛合によって前記駆動プーリを回転連動させることができる。
【０００７】
優選的には、前記切換機構はロングロッドを含み、前記空チャンバの後端壁には移動溝が設けられ、前記移動溝の中にはロングロッドがスライドできるように設けられ、前記ロングロッドの左端面には左端が前記移動溝の左端壁と固定的に接続される移動ばねが上下に対称的に固定され、前記ロングロッドの上端面には支持ブロックが固定され、前記支持ブロックの前端面には前記トーションバネによって前記スイングロッドが回転できるように接続され、前記ロングロッドの上端面には昇降溝が設けられ、前記昇降溝の下端壁には昇降ばねが固定され、前記昇降ばねの上端には前記ロープと前記スイングロッドとによって固定される昇降ブロックが固定され、前記ロングロッドの左端にはラックが固定され、前記空チャンバの後端壁には入力軸と出力軸とが回転できるように設けられ、前記入力軸には旋転歯車と入力車が固定され、前記出力軸には旋転ロッドと、前記ベルトによって前記入力車と摩擦して伝動する出力車とが固定され、前記空チャンバの後端壁には弾性溝が設けられ、前記弾性溝の中には梯形ロッドがスライドできるように設けられ、前記弾性溝の中において前記梯形ロッドの下端面には下端が前記弾性溝の下端壁と固定される弾性ばねが左右に対称的に固定され、前記空チャンバの左端壁には前記Ｌ字型ロッドが回転できるように設けられ、前記Ｌ字型ロッドには横向き歯車が固定され、なお、前記ロングロッドが左へ運動すると前記梯形ロッドを押し動かして上昇させて前記横向き歯車と噛み合わせることができる。
【０００８】
優選的には、前記保管機構は前記角溝を含み、前記空チャンバの後端壁には円状溝が設けられ、前記円状溝を中心として四つの前記角溝が陳列で設けられ、前記円状溝の後端壁には前記保管軸が回転できるように設けられ、前記保管軸の左端面には圧力溝が設けられ、前記圧力溝の右端壁には圧力ばねが固定され、前記圧力ばねの左端には左端が左側の前記角溝の中に位置する前記梯形ブロックが固定され、前記保管軸の外端面には四つの前記制限溝が環状の陳列で設けられ、前記保管軸にはブロックが固定され、前記ブロックの外端面には四つの運動溝が環状の陳列で設けられ、上側の前記運動溝の左端面には前記ねじ山ロッドが回転できるように設けられ、前記ねじ山ロッドには前記運動溝とスライドできるように接続される二つのねじ山ブロックがねじ山によって噛み合い、前記ねじ山ロッドの前端面には前記ショートロッドが固定され、なお、前記スイングロッドが左へ運動すると前記保管軸を押し動かして回転させることができる。
【発明の効果】
【０００９】
本発明の有益効果は：本装置は構造が簡単で、携帯が便利で、複数のマスクを保管でき、また、マスクを保管する時、使用者はマスクの使用状態によりマスクを保管するか又は取り換えるかを選択でき、室外環境の使用に適用する。
【図面の簡単な説明】
【００１０】
説明しやすいため、本発明は以下の具体的な実施例と付図を交え詳しく説明する。
【００１１】
【図１】図１は本発明の使い捨てマスクの保管装置の全体断面正面構成略図である；
【図２】図２は本発明の使い捨てマスクの保管装置のブロックの拡大構造略図である；
【図３】図３は本発明の使い捨てマスクのマスクの構造略図である；
【図４】図４は本発明の使い捨てマスクの保管装置のスイングロッドの正面断面構造略図である。
【図５】図５は本発明の使い捨てマスクの保管装置の保管軸の正面断面構造略図である。
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１−５を参照し、本発明の使い捨てマスクの保管装置は、マスク６３とマスク筐体１０を含み、前記マスク筐体１０の中には一方向機構８０が設けられ、前記一方向機構８０の内部がベルト２４によって摩擦して伝動を行い、前記一方向機構８０が駆動軸１１と、駆動歯車１２と、ラチェット１５と伝動軸１６とを含み、前記駆動軸１１と前記伝動軸１６が前記ラチェット１５によって回転できるように接続され、更に前記ラチェット１５の作用によって、前記伝動軸１６が一方向しか回転できなく、前記一方向機構８０の右側には切換機構８１が設けられ、前記切換機構８１の内部も前記ベルト２４によって摩擦して伝動を行い、前記切換機構８１がラック５７と、スイングロッド４０と、昇降ブロック４９と、ロープ４６と、空チャンバ３３と、旋転歯車５３と旋転ロッド５５とを含み、前記ラック５７が左へ運動する時に前記駆動歯車１５と噛み合え、更に前記一方向機構８０を作動連動させ、前記スイングロッド４０が回転して前記ロープ４６を緩め、更に前記昇降ブロック４９を前記旋転歯車５３と噛み合うところまで上昇連動させ、更に前記旋転ロッド５５を回転連動させ、前記空チャンバ３３の中には梯形ロッド２６と、横向き歯車２７とＬ字型ロッド３１とが設けられ、前記ラック５７が左へ運動すると前記梯形ロッド２６を押して上昇させて前記横向き歯車２７と噛み合わせることができ、これにより前記Ｌ字型ロッド３１を回転連動させ、前記切換機構８１の上側には保管機構８２が設けられ、前記保管機構８２がショートロッド６２と、保管軸５８と、ねじ山ロッド６１とねじ山ブロック６０とを含み、前記Ｌ字型３１と前記旋転ロッド５５の回転はいずれも前記ショーロロッド６２を押し動かして回転させることができ、前記ねじ山ロッド６１には二つのねじ山が逆方向に設置され、前記ねじ山ロッド６１が回転する時に前記ねじ山ブロック６０を連動させて互いに近づかせる又は遠離させることができ、前記保管軸５８の中には制限溝６４と、梯形ブロック６５と、角溝６８とが設けられ、前記梯形ブロック６５と前記角溝６８の制限によって、前記保管軸５８が一方向しか回転できなく、前記スイングロッド４０と前記制限溝６４の妨げによって前記保管軸５８を押し動かして回転させることができる。
【００１４】
有益的には、前記一方向機構８０は駆動軸１１を含み、前記空軸３３の左端壁には梯形溝２３が設けられ、前記梯形溝２３の下端壁には鉛直溝１３が設けられ、前記鉛直溝１３の下端壁には駆動歯車１２と固定される前記駆動軸１１が回転できるように設けられ、前記駆動歯車１２の上側には伝動軸１６が設けられ、前記伝動軸１６と前記駆動軸１１とが前記ラチェット１５によって回転できるように接続され、前記伝動軸１６の上端には駆動傘歯車１７が固定され、前記梯形溝２３の後端壁には取手２２と従動軸２０とが回転できるように設けられ、前記従動軸２０には従動傘歯車２１と駆動プーリ１８とが固定され、前記従動傘歯車２１と前記駆動傘歯車１７とが噛み合い、前記空チャンバ３３の後端壁にはベルト軸２９が回転できるように設けられ、前記ベルト軸２９には前記ベルト２４によって前記駆動プーリ１８と摩擦して動力を伝達する伝動プーリ３０が固定され、前記ベルト２４には六つの置きブロック１９が均一的に固定的に接続され、前記空チャンバ３３の右端壁には保管口３４が設けられ、前記保管口３４の後端壁には保管板３５が回転できるように設けられ、前記マスク筐体１０の左端面には引掛けブロック１４が固定され、前記マスク筐体１０の右端面には弾性ブロック３８が固定され、前記空チャンバ３３の下端壁には収集溝４４が設けられ、前記収集溝４４の後端壁には底板４５がトーションバネ４１によって回転できるように設けられ、なお、前記駆動傘歯車１７と前記従動傘歯車２１との噛合によって前記駆動プーリ１８を回転連動させることができる。
【００１５】
有益的には、前記切換機構８１はロングロッド３９を含み、前記空チャンバ３３の後端壁には移動溝３６が設けられ、前記移動溝３６の中にはロングロッド３９がスライドできるように設けられ、前記ロングロッド３９の左端面には左端が前記移動溝３６の左端壁と固定的に接続される移動ばね３７が上下に対称的に固定され、前記ロングロッド３９の上端面には支持ブロック４２が固定され、前記支持ブロック４２の前端面には前記トーションバネ４１によって前記スイングロッド４０が回転できるように接続され、前記ロングロッド３９の上端面には昇降溝５０が設けられ、前記昇降溝５０の下端壁には昇降ばね５１が固定され、前記昇降ばね５１の上端には前記ロープ４６と前記スイングロッド４０とによって固定される昇降ブロック４９が固定され、前記ロングロッド３９の左端にはラック５７が固定され、前記空チャンバ３３の後端壁には入力軸５２と出力軸２８とが回転できるように設けられ、前記入力軸５２には旋転歯車５３と入力車４８が固定され、前記出力軸２８には旋転ロッド５５と、前記ベルト２４によって前記入力車４８と摩擦して伝動する出力車４３とが固定され、前記空チャンバ３３の後端壁には弾性溝２５が設けられ、前記弾性溝２５の中には梯形ロッド２６がスライドできるように設けられ、前記弾性溝２５の中において前記梯形ロッド２６の下端面には下端が前記弾性溝２５の下端壁と固定される弾性ばね５６が左右に対称的に固定され、前記空チャンバ３３の左端壁には前記Ｌ字型ロッド３１が回転できるように設けられ、前記Ｌ字型ロッド３１には横向き歯車２７が固定され、なお、前記ロングロッド３９が左へ運動すると前記梯形ロッド２６を押し動かして上昇させて前記横向き歯車２７と噛み合わせることができる。。
【００１６】
有益的には、前記保管機構８２は前記角溝６８を含み、前記空チャンバ３３の後端壁には円状溝６７が設けられ、前記円状溝６７を中心として四つの前記角溝６８が陳列で設けられ、前記円状溝６７の後端壁には前記保管軸５８が回転できるように設けられ、前記保管軸５８の左端面には圧力溝６６が設けられ、前記圧力溝６６の右端壁には圧力ばね６９が固定され、前記圧力ばね６９の左端には左端が左側の前記角溝６８の中に位置する前記梯形ブロック６５が固定され、前記保管軸５８の外端面には四つの前記制限溝６４が環状の陳列で設けられ、前記保管軸５８にはブロック３２が固定され、前記ブロック３２の外端面には四つの運動溝５９が環状の陳列で設けられ、上側の前記運動溝５９の左端面には前記ねじ山ロッド６１が回転できるように設けられ、前記ねじ山ロッド６１には前記運動溝５９とスライドできるように接続される二つのねじ山ブロック６０がねじ山によって噛み合い、前記ねじ山ロッド６１の前端面には前記ショートロッド６２が固定され、なお、前記スイングロッド４０が左へ運動すると前記保管軸５８を押し動かして回転させることができる。
【００１７】
以下、図１−５と上記の本願発明の具体的な構成を合わせて本願発明の使用方法を詳しく説明する：
【００１８】
使用する時、まずは、引掛けブロック１４と弾性ブロック３８によって本装置を使用者の腰に引掛け、左側のねじ山ブロック６０と下側のねじ山ブロック６０を除くすべての置きブロック１９とねじ山ブロック６０にはマスク６３がいっぱいに掛けられ、保管板３５を開け、右側のねじ山ブロック６０にあるマスク６３を取って使用することができ、もしまだ使えると思えば、マスク６３を右側のねじ山ブロック６０に掛け、もしマスクを変えようとしたらマスクを右側のねじ山ブロック６０に掛け、ロングロッド３９を押し動かして左へ運動させ、保管軸５８を回転連動させ、これにより梯形ブロック６５を連動させて次の角溝６８の中に入らせ、上側のねじ山ブロック６０が回転し、上側のねじ山ブロック６０にあるマスク６３を取って使い、ロングロッド３９が梯形ロッド２６を押し動かいて上昇させて横向き歯車２７と噛み合わせ、これによりＬ字型ロッド３１がねじ山ロッド６１を回転連動させ、ねじ山ロッド６１とねじ山ブロック６０とのねじ山による噛合によって、二つのねじ山ブロック６０を互いに離れさせ、置きブロック１９にあるマスク６３を取り外し、移動ばね３７の復帰作用によってロングロッド３９を右に運動連動させ、これによりラチェット１５を回転連動させ、置きブロック１９を連動させてベルト２４に従って運動させ、置きブロック１９を取り替え、梯形ブロック６５が角溝６８の中での妨げによって、スイングロッド４０は制限溝６４を押し動かしてねじりを生じてロープ４６を緩めることができなく、昇降ばね５１が復帰して昇降ブロック４９を旋転歯車５３と噛み合うまで上昇連動させ、旋転ロッド５５を押し動かして回転させ、これによりショートロッド６２を押し動かして二つのねじ山ブロック６０を互いに近づかせ、使用済のマスク６３が収集溝４４の中に落ちる。
【００１９】
本発明の有益効果は：本装置は構造が簡単で、携帯が便利で、複数のマスクを保管でき、また、マスクを保管する時、使用者はマスクの使用状態によりマスクを保管するか又は取り換えるかを選択でき、室外環境の使用に適用する。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020146416.tif 000003
【図２】
2020146416.tif 000004
【図３】
2020146416.tif 000005
【図４】
2020146416.tif 000006
【図５】
2020146416.tif 000007